(57)【特許請求の範囲】
【請求項１】
容器本体の口部に固定したキャップに対し往復動可能に設けられる頭部を有し、頭部を往復動させることにより、容積可変の液室から内容液を、容積可変の空気室から空気を、それぞれ泡生成部に送り、この内容液と空気を泡生成部で混合発泡させ、生成した泡を頭部に設けた吐出口から吐出するに際し、
頭部の往復動に連動して液室内を往復動する液ピストンを設け、液ピストンにより拡張される液室に容器本体から抗菌性のある内容液を吸入し、液ピストンにより収縮される液室の内容液を泡生成部に吐出し、
頭部の往復動に連動して空気室内を往復動するエアピストンを設け、エアピストンにより拡張される空気室に容器外部の空気を吸入し、エアピストンにより収縮される空気室の空気を泡生成部に排出する泡吐出器であって、
液室は空気室の底部より下方に延在し、空気室と液室を液ピストンにより区画し、
空気室の底部に空気の排出口を設けるとともに、空気室の底部近傍を空気の排出口に向かう下り勾配とし、
液ピストンを液室の収縮端側に押し込んだときに、液室と空気室とを連通させる液通路を液ピストンの外周と液室の内壁の間に形成する泡吐出器。
【請求項２】
前記エアピストンを空気室の収縮端側に押し込んだときに、空気室と空気室のエアピストンに対する上部に形成された外部解放室とを連通させる空気通路をエアピストンの外周と空気室の内壁の間に形成する請求項１に記載の泡吐出器。
【発明の詳細な説明】
【技術分野】
【０００１】
本発明は泡吐出器に関する。
【背景技術】
【０００２】
洗剤等の泡吐出器として、特許文献１、２に記載の如く、容器本体の口部に固定したキャップに対し往復動可能に設けられる頭部を有し、頭部を往復動させることにより、容積可変の液室から内容液を、容積可変の空気室から空気を、それぞれ泡生成部に送り、この内容液と空気を泡生成部で混合発泡させ、生成した泡を頭部に設けた吐出口から吐出するに際し、頭部の往復動に連動して液室内を往復動する液ピストンを設け、液ピストンにより拡張される液室に容器本体の抗菌性のある内容液を吸入し、液ピストンにより収縮される液室の内容液を泡生成部に吐出し、頭部の往復動に連動して空気室内を往復動するエアピストンを設け、エアピストンにより拡張される空気室に外部の空気を吸入し、エアピストンにより収縮される空気室の空気を泡生成部に排出するものがある。これらの泡吐出器では、頭部とキャップの微小隙間を空気室に通ずる空気吸入経路としている。
【特許文献１】特開2005-193972
【特許文献２】特開2004-121898
【発明の開示】
【発明が解決しようとする課題】
【０００３】
特許文献１、２に記載の泡吐出器では、外部の空気を空気吸入経路から空気室に取り込むときに、外水も吸引されて空気室に浸入するおそれがある。
【０００４】
特許文献１に記載の泡吐出器は、頭部のスカート部の外径をキャップの外周との間の空気室への外気取り込み口を覆う傘状に張り出し、空気室への外水の浸入を防止しようとしている。
【０００５】
また、特許文献２に記載の泡吐出器は、頭部のスカート部の下端に内側に張り出す環状凸部を設け、この環状凸部がキャップの外周との間に形成する空気室への外気取り込み口を狭小にし、空気室への外水の浸入を防止しようとしている。
【０００６】
しかしながら、例えば容器本体を倒し、又は容器本体の外周を洗浄する環境では、空気室への外水の浸入を十分には防止できない。空気室に一旦浸入した外水は排出されず、菌等を発生する問題がある。
【０００７】
本発明の課題は、泡吐出器において、空気室に浸入した水による菌の発生を防止することにある。
【課題を解決するための手段】
【０００８】
請求項１の発明は、容器本体の口部に固定したキャップに対し往復動可能に設けられる頭部を有し、頭部を往復動させることにより、容積可変の液室から内容液を、容積可変の空気室から空気を、それぞれ泡生成部に送り、この内容液と空気を泡生成部で混合発泡させ、生成した泡を頭部に設けた吐出口から吐出するに際し、頭部の往復動に連動して液室内を往復動する液ピストンを設け、液ピストンにより拡張される液室に容器本体から抗菌性のある内容液を吸入し、液ピストンにより収縮される液室の内容液を泡生成部に吐出し、頭部の往復動に連動して空気室内を往復動するエアピストンを設け、エアピストンにより拡張される空気室に容器外部の空気を吸入し、エアピストンにより収縮される空気室の空気を泡生成部に排出する泡吐出器であって、液室は空気室の底部より下方に延在し、空気室と液室を液ピストンにより区画し、空気室の底部に空気の排出口を設けるとともに、空気室の底部近傍を空気の排出口に向かう下り勾配とし、液ピストンを液室の収縮端側に押し込んだときに、液室と空気室とを連通させる液通路を液ピストンの外周と液室の内壁の間に形成するようにしたものである。
【発明を実施するための最良の形態】
【０００９】
（実施例１）（図１〜図５）
泡吐出器１０は、図１に示す如く、洗剤等の内容液が収容された容器本体１の口部１Ａに、キャップ２０の取付部２０Ａを固定する。キャップ２０の取付部２０Ａの内側部にはシリンダ３０の大径部３０Ａの上端部が突当てられ、大径部３０Ａの上端部にパッキン３１とともに、キャップ２０の取付部２０Ａの内側部と容器本体１の口部１Ａとの間に挟圧固定される。シリンダ３０は大径部３０Ａに連なる小径部３０Ｂを有し、小径部３０Ｂにディップチューブ３２を嵌合し、このディップチューブ３２を容器本体１の内部に挿入している。シリンダ３０は、大径部３０Ａの内部に空気室Ａを形成し、小径部３０Ｂの内部に液室Ｌを形成する。キャップ２０の筒部２０Ｂには頭部４０のステム４１が上下方向に往復動可能に挿入される。泡吐出器１０は、頭部４０を往復動させることにより、容積可変の液室Ｌから内容液を、容積可変の空室Ａから空気を、それぞれステム４１の内部に設けてある後述する泡生成部８０で混合発泡させ、生成した泡を頭部４０に設けた吐出口４２から吐出する。
【００１０】
泡吐出器１０に収容される洗剤等の内容液は抗菌剤（又は防腐剤ともいう）を添加される等により抗菌性を有する。防腐剤又は抗菌剤としては、例えば安息香酸、安息香酸パントテニルエチルエーテル、塩酸アルキルジアミノエチルグリシン、サリチル酸、ソルビン酸、デヒドロ酢酸、トリクロロヒドロキシジフェニルエーテル、パラオキシ安息香酸エステル、フェノキシエタノール、フェノール、ラウリルジアミノエチルグリシンナトリウム、イソプロピルメチルフェノール、塩化ベンザルコニウム、塩化ベンゼトニウム、塩酸クロルヘキシジシン、グルコン酸クロルヘキシジン、オルトフェニルフェノール、臭化アルキルイソキノリニウム、チモール、トリクロロカルバニリド、ハロカルバン、ヒノキチオール、２−メチル−４−イソチアゾリン−３−オン、５−クロロ−２−メチル−４−イソチアゾリン−３−オン、１，２−ベンゾイソチアゾリン−３−オン、ポリリジン、亜鉛塩、銀塩等の１つ或いは複数の組合せを用いることができる。
【００１１】
泡吐出器１０は、頭部４０の吐出口４２に通ずるステム４１の下端中空部に中空ピストンガイド５１を嵌合固定し、ピストンガイド５１の下端中空部に中空液ピストン５２の中空筒部５２Ａを嵌合固定し、液ピストン５２の外周ピストン部５２Ｂをシリンダ３０の小径部３０Ｂの内壁に摺動可能に挿入し、小径部３０Ｂの下端側ばね受け部３３及び後述するポペット６０の下端バルブ６２の上端面と液ピストン５２との間に圧縮コイルばね５３を介装している。即ち、頭部４０を押しているときには、圧縮コイルばね５３の下端部が小径部３０Ｂの下端側ばね受け部３３に支持されるとともに、ポペット６０の下端バルブ６２の上端面は圧縮コイルばね５３の下端部から離れる。頭部４０から手を離したときには、圧縮コイルばね５３の下端部が小径部３０Ｂの下端側ばね受け部３３に支持されるとともに、ポペット６０の下端バルブ６２の上端面は圧縮コイルばね５３の下端部に接する。泡吐出器１０は、ピストンガイド５１と液ピストン５２の中空部を液室Ｌから延在する液吐出路５４とし、ピストンガイド５１における液吐出路５４の上端部には上端側弁座５１Ａが設けられ、弁座５１Ａには液吐出路５４からの圧力によって開くボール弁５５が密接して載置される。
【００１２】
泡吐出器１０は、シリンダ３０の小径部３０Ｂから液ピストン５２、ピストンガイド５１に沿って延在するポペット６０を有し、ポペット６０の上端部６１をピストンガイド５１及び液ピストン５２の内周に摩擦嵌合し、ポペット６０の下端バルブ６２を小径部３０Ｂの下端側弁座３４（小径部３０Ｂの下端に形成された縮径領域）に密接して配置し、容器本体１の内部に対して液室Ｌを開閉する。ポペット６０の外周溝と液ピストン５２の内周との間、更にはピストンガイド５１の内周溝との間が前述の液吐出路５４とされる。ポペット６０は下端側の領域においてコイルばね５３の中心部に延在する。
【００１３】
泡吐出器１０は、頭部４０の上下の往復動に連動して液室Ｌ内を上下動するピストンガイド５１及び液ピストン５２を有し、ポペット６０の下端バルブ６２がピストンガイド５１及び液ピストン５２の上動に連動して弁座３４から離れ、かつ液ピストン５２の上動により拡張される液室Ｌに容器本体１の内容液を吸入し、ポペット６０の下端バルブ６２がピストンガイド５１及び液ピストン５２の下動に連動して弁座３４に接し、かつ液ピストン５２の下動により収縮される液室Ｌの内容液を液吐出路５４経由で弁座５１Ａと離れて開かれたボール弁５５から後述する泡生成部８０に吐出する。
【００１４】
即ち、泡吐出器１０は、頭部４０の上下の往復動に連動して液室Ｌ内を上下動する液ピストン５２を有し、頭部４０が上動する吸入行程で液ピストン５２の上動により拡張される液室Ｌに容器本体１の抗菌性のある内容液を吸入し、頭部４０が押込下動される吐出行程で液ピストン５２の下動により収縮される液室Ｌの内容液を後述する泡生成部８０に吐出する。
【００１５】
泡吐出器１０は、ピストンガイド５１の外周にエアピストン７０の中空筒部７０Ａを遊挿し、エアピストン７０の外周ピストン部７０Ｂをシリンダ３０の大径部３０Ａの内壁に摺動自在に挿入する。本実施例では、頭部４０のステム４１において後述する空気吸入路７１を環状形成するための内外筒４１Ａ、４１Ｂの下端段差状内周孔にエアピストン７０の筒部７０Ａの上端部に設けた内外筒を挿入し、頭部４０を図１の初期状態から僅かに下動させたときに、内外筒４１Ａ、４１Ｂの内周孔の段差面がエアピストン７０の内外筒の上端面に突き当たる一定の時間差の後、頭部４０（ピストンガイド５１、液ピストン５２も一体）の下動によりエアピストン７０も下動させる。従って、エアピストン７０はピストンガイド５１の外周に沿って僅かに上下相対移動可能にし、それらの下端間に後述する空気排出口７３Ａを形成可能にする（図２）。
【００１６】
泡吐出器１０は、頭部４０のステム４１内に空気吸入路７１を延在し、空気吸入路７１の外気取り込み口７１Ａをステム４１の外面における頭部４０の上端寄りに開口し、空気吸入路７１をエアピストン７０のピストン部７０Ｂの端面に設けた孔７１Ｂ、筒部７０Ａの外周に固定した吸入チェック弁７２を介して空気室Ａに連通可能にする。
【００１７】
泡吐出器１０は、ピストンガイド５１の外周溝とエアピストン７０の筒部７０Ａの内周との間から、更にピストンガイド５１の外周とステム４１の内周溝との間に連続する上下に続く空気排出路７３を設け、ピストンガイド５１の下端とエアピストン７０の下端とが空気排出口７３Ａを開閉する開閉弁７４を形成する。開閉弁７４は、頭部４０の下動時に頭部４０とともに下動するピストンガイド５１の下端をエアピストン７０の下端から離隔させてそれらの下端間に空気排出口７３Ａを開き（図３）、頭部４０の上動時に該頭部４０とともに上動するピストンガイド５１の下端フランジ部５１Ｂをエアピストン７０の下端に下から衝合させてそれらの下端間の空気排出口７３Ａを閉じる（図４）。
【００１８】
尚、頭部４０は、筒状カバー７５を吊下げ、カバー７５によりステム４１及びキャップ２０の筒部２０Ｂの上領域を囲み、カバー７５の下端部によりキャップ２０の筒部２０Ｂまわりに微小間隙を形成する。カバー７５は外気取り込み口７１Ａへの外水の浸入を困難にする。
【００１９】
即ち、泡吐出器１０は、頭部４０の上下の往復動に連動して空気室Ａ内を上下動するエアピストン７０を有し、頭部４０が上動する吸入行程でエアピストン７０の上動により拡張される空気室Ａに外部の空気を吸入し、頭部４０が押込下動される吐出行程でエアピストン７０の下動により収縮される空気室Ａの空気を後述する泡生成部８０に排出する。
【００２０】
泡吐出器１０は、頭部４０の吐出口４２に泡生成部８０を備える。泡生成部８０は、液吐出路５４と空気排出路７３の会合領域（ボール弁５５の直上部）に設けたジェットリング８１により空気と内容液とを混合発泡し、この発泡された内容液をジェットリング８１の上側に配置したメッシュリング８２に貼ったメッシュ８２Ａを通すことにより細かな泡を生成し、吐出口４２から吐出可能にする。
【００２１】
泡吐出器１０は、液室Ｌが空気室Ａの底部より下方に延在し、空気室Ａと液室Ｌを液ピストン５２の外周ピストン部５２Ｂにより区画している。従って、空気室Ａの底部は液ピストン５２の外周ピストン部５２Ｂにより画定される。液ピストン５２の上下動により、空気室Ａの範囲はシリンダ３０の大径部３０Ａの内壁から、ピストンガイド５１を中心軸としてピストンガイド５１に向かうシリンダ３０の下り勾配の円錐面Ｂ〜シリンダ３０の小径部３０Ｂの内壁に渡るものになる。
【００２２】
そして、泡吐出器１０は、シリンダ３０の大径部３０Ａが形成する空気室Ａへの水の滞留を防止するため、空気室Ａからの空気排出口７３Ａを空気室Ａの底部近傍に設ける。更に、空気室Ａの底部を空気排出口７３Ａに向かって下り勾配をなすものとする。本実施例では、空気室Ａの空気を排出開始するエアピストン７０の下動開始時に（図２）、ピストンガイド５１の下端とエアピストン７０の下端とが形成する空気排出口７３Ａを空気室Ａの円錐面Ｂ以下のレベルに位置させ、エアピストン７０の下動過程でピストンガイド５１と液ピストン５２がシリンダ３０の小径部３０Ｂに押し込まれるときには、空気排出口７３Ａを空気室Ａの底部による円錐面Ｂ以下で円錐面Ｂに近いレベルから小径部３０Ｂ内の更に下方レベルに位置させるものとする。
【００２３】
尚、泡吐出器１０は、キャップ２０の筒部２０Ｂと頭部４０のステム４１の外筒４１Ｂとの間隙９１Ａ、シリンダ３０が形成する空気室Ａのエアピストン７０に対する上部の外部解放室９１Ｂを容器本体１の内部への空気導入路９１とし、容器本体１の内部への空気導入口９１Ｃをシリンダ３０の大径部３０Ａの上端側に穿設する。泡吐出器１０の初期状態（図１）で、空気導入口９１Ｃはエアピストン７０のピストン部７０Ｂによりカバーされ、空気導入路９１に対し閉じられ、頭部４０の上下の往復動時に、空気導入口９１Ｃはエアピストン７０のピストン部７０Ｂによるカバーが外れて空気導入路９１に対し開口され、かつ空気導入口９１Ｃは、空気室Ａとは常時遮断されている。前述のカバー７５はキャップ２０の筒部２０Ｂまわりに微小間隙を形成するから、空気導入路９１への外水の浸入を困難にする。
【００２４】
泡吐出器１０にあっては、空気の外部取り込み口７１Ａから空気吸入路７１を通って空気室Ａへ外部の空気を吸入する空気吸入経路と、空気導入路９１から空気導入口９１Ｃを通って容器本体１の内部へ外部の空気を導入する空気導入経路を別系統とする。
【００２５】
しかるに、泡吐出器１０にあっては、空気吸入路７１から空気室Ａに取り込まれる外気に随伴して空気室Ａに浸入した水による菌の発生を防止するため、以下の構成を具備する。即ち、液ピストン５２による液室Ｌの収縮端側で、液室Ｌを空気室Ａに連通する液通路１０１を液ピストン５２の外周と液室Ｌの内壁（シリンダ３０の小径部３０Ｂの内壁）の間に形成する。
【００２６】
具体的には、泡吐出器１０が吐出完了／吸入開始状態（図４）にあり、下動側（収縮端）に位置する液ピストン５２の外周ピストン部５２Ｂの全長を超える範囲に対応するシリンダ３０の小径部３０Ｂの内壁の周方向一部にリブ１００Ａを成形する。液ピストン５２が液室Ｌの収縮端側に移動したとき、液ピストン５２のゴム等の弾性材料からなっていて可撓性のある外周ピストン部５２Ｂがリブ１００Ａに乗り上げ、液ピストン５２とシリンダ３０の小径部３０Ｂの内壁との間に隙間状液通路１０１が形成される。これにより、収縮端にある液ピストン５２により加圧された液室Ｌの抗菌性内容液が液通路１０１経由で液ピストン５２の外周ピストン部５２Ｂの上部の空気室Ａの底部に送り込まれる（図４（Ｂ））。
【００２７】
泡吐出器１０は以下の如く動作する。
（動作１）（図２)
(1)図１の初期状態から頭部４０を押すと最初に頭部４０と一体となって、ピストンガイド５１、ピストン５２、ポペット６０が下へ下がる。
【００２８】
(2)ポペット６０の下端バルブ６２がシリンダ３０の小径部３０Ｂの下端側に設けられた弁座３４に当たり（ＩＡ部分）、液室Ｌを閉じる。
【００２９】
(3)エアピストン７０はこの時点では動かないため（頭部４０とエアピストン７０の上端の隙間が狭くなる）（ＩＢ部分）、エアピストン７０の下端とピストンガイド５１の下端の間に隙間ができ、空気室Ａの排出口７３Ａとなる（ＩＣ部分）。
【００３０】
（動作２）（図３）
(1)頭部４０を更に押すと、頭部４０と一体となって、ピストンガイド５１、ピストン５２、エアピストン７０が下へ下がる。
【００３１】
(2)空気室Ａ内の空気は空気排出路７３を通り、液室Ｌ内の液は液吐出路５４を通り、泡生成部８０のジェットリング８１の部分で混合され泡となる。泡はメッシュリング８２に貼られたメッシュ８２Ａを通り細かな泡となって頭部４０の吐出口４２から吐出される。
【００３２】
(3)このとき、空気室Ａ内に溜まっていた水も、空気の流れに沿って空気排出路７３を通り、吐出口４２から排出される。
【００３３】
(4)頭部４０を押している途中で、エアピストン７０が塞いでいた空気室Ａの側面の空気導入口９１Ａが開放されるため、空気が容器本体１の内部へ導入される。
【００３４】
（動作３）（図４）
(1)頭部４０が押込端に達し、液ピストン５２が収縮端（下動端）に達すると、液ピストン５２の外周ピストン部５２Ｂがリブ１００Ａに乗り上げて液室Ｌを空気室Ａに連通する液通路１０１が形成される。液室Ｌの内容液が液通路１０１経由で空気室Ａの底部に送り込まれる。空気吸入路７１から空気室Ａに取り込まれた外気に随伴して空気室Ａに浸入し、空気室Ａの底部に滞留していた外水に抗菌性内容液が混合することになる。
【００３５】
（動作４）（図４）
(1)頭部４０を押すのをやめて頭部４０から手を離すと、頭部４０と一体となって、ピストンガイド５１、ピストン５２、ポペット６０がコイルばね５３のばね力で上がる。
【００３６】
(2)ポペット６０の下端がシリンダ３０の小径部３０Ｂの弁座３４から離れ隙間ができ（IIIＡ部分）、液室Ｌを開く。
【００３７】
(3)エアピストン７０はこの時点では動かないため（頭部４０とエアピストン７０の上端の隙間が広くなる）（IIIＢ部分）、エアピストン７０の下端とピストンガイド５１の下端の隙間が閉じ、空気排出口７３Ａが閉じられる（IIIＣ部分）。
【００３８】
（動作５）（図５）
(1)頭部４０が更に上昇すると、頭部４０と一体となって、ピストンガイド５１、ピストン５２、エアピストン７０が上昇する。
【００３９】
(2)空気室Ａ内は負圧となるため、吸入チェック弁７２が開き、空気吸入路７１を通り空気室Ａ内へ空気が吸入される。また、液室Ｌ内も負圧となるため、容器本体１内の内容液がディップチューブ３２を通って液室Ｌへ導入される。
【００４０】
(3)図１の初期状態に戻る。
【００４１】
本実施例によれば以下の作用効果を奏する。
(a)泡吐出器１０の吐出行程における、頭部４０を押込んだ液ピストン５２による液室Ｌの収縮端側で、液室Ｌを空気室Ａに連通する液通路１０１を液ピストン５２の外周と液室Ｌの内壁の間に形成する。従って、液ピストン５２により加圧された液室Ｌの内容液が空気室Ａの底部に送り込まれる。これにより、空気室Ａに浸入して空気室Ａの底部に滞留していた外水に抗菌性内容液が混合し、外水の菌の繁殖を防止する。
【００４２】
(b)次回吐出行程における、頭部４０を押込んだエアピストン７０による空気室Ａの収縮時に、空気室Ａに滞留している上述(a)の抗菌性内容液が混合した水は空気とともに泡生成部８０に排出される。
【００４３】
(c)抗菌性の液剤を空気室Ａ内に予め装填するものと異なり、吐出行程の度に、容器本体から液室Ｌに吸引される抗菌性内容液を空気室Ａの底部に送り込む。従って、泡吐出器１０が詰め替え用容器本体に繰り返し用いられるときにも、上述(a)、(b)の防菌作用を発揮できる。
【００４４】
(d)空気室Ａから泡生成部８０への空気の排出口７３Ａが空気室Ａの底部近くに設けられた。従って、エアピストン７０が空気室Ａを収縮して空気室Ａの空気を排出口７３Ａから泡生成部８０に排出するとき、空気室Ａに滞留している前述(a)の抗菌性内容液が混合した水を空気の流れに乗せて排出口７３Ａから吐出口４２の側へ排出し、前述(b)の排水作用を促進できる。
【００４５】
(e)空気室Ａの底部近傍部を空気の排出口７３Ａに向かう下り勾配にしたから、空気室Ａに滞留している前述(a)の抗菌性内容液が混合した水をその底部近くの排出口７３Ａの周辺に集め、上述(d)による排水作用の一層の確実を図ることができる。
【００４６】
(f)容器本体１の内容液が防腐剤を含むことにより、内容液の抗菌性を高め、前述(a)の防菌作用の確実を図ることができる。
【００４７】
（実施例２）（図６、図７）
実施例２は、実施例１の構造に加え、エアピストン７０による空気室Ａの収縮端側で、空気室Ａを、該空気室Ａのエアピストン７０に対する上部に形成してある外部解放室９１Ｂに連通する空気通路２０１を空気ピストン７０の外周と空気室Ａの内壁（シリンダ３０の大径部３０Ａの内壁）との間に形成したことにある。
【００４８】
具体的には、泡吐出器１０が吐出完了／吸入開始状態（図７）にあり、下動端（収縮端）に位置するエアピストン７０の外周ピストン部７０Ｂの全長を超える範囲に対応するシリンダ３０の大径部３０Ａの内壁の周方向一部にリブ２００Ａ（凸部、溝部でも可）を成形する。エアピストン７０が空気室Ａの収縮端側に移動したとき、エアピストン７０の外周ピストン部７０Ｂがリブ２００Ａに乗り上げ、エアピストン７０とシリンダ３０の大径部３０Ａの内壁との間に隙間状空気通路２０１が形成される（図７（Ｃ））。
【００４９】
従って、実施例２によれば、実施例１の前述(a)〜(f)の作用効果に加え、以下の作用効果を奏する。
【００５０】
実施例１の前述(a)の吐出行程において液ピストン５２が液室Ｌの収縮端に達するタイミングは、エアピストン７２が空気室Ａの収縮端に達するタイミングでもある。このとき、空気室Ａのエアピストン７２に対する上部に外部解放室９１Ｂが形成され、空気室Ａを外部解放室９１Ｂに連通する空気通路２０１がエアピストン７２の外周と空気室Ａの内壁の間に形成される。従って、液室Ｌと空気室Ａとが前述(a)の液通路１０１により連通する状態で、液ピストン５２により加圧された液室Ｌの圧力が外部解放室９１Ｂに連通している空気室Ａの圧力に対してより高圧になり、液室Ｌの内容液が空気室Ａの底部にスムースに送り込まれ、前述(a)の防菌作用を促進できる。
【００５１】
（実施例３）（図８、図９）
実施例３が実施例１と異なる点は、液ピストン５２による液室Ｌの収縮端側で、液室Ｌを空気室Ａに連通する液通路１０１を液ピストン５２の外周と液室Ｌの内壁（シリンダ３０の小径部３０Ｂの内壁）の間に形成するための具体的構造として、リブ１００Ａに代わる凸部１００Ｂを設けたことにある。即ち、泡吐出器１０が吐出完了／吸入開始状態（図９）にあり、下動側（収縮端）に位置する液ピストン５２の外周ピストン部５２Ｂに対応するシリンダ３０の小径部３０Ｂの内壁の周方向一部に凸部１００Ｂを成形する。液ピストン５２が液室Ｌの収縮端側に移動したとき、液ピストン５２のゴム等の弾性材料からなっていて可撓性のある外周ピストン部５２Ｂが凸部１００Ｂに乗り上げ、液ピストン５２とシリンダ３０の小径部３０Ｂの内壁との間に隙間状液通路１０１が形成される。これにより、収縮端にある液ピストン５２により加圧された液室Ｌの抗菌性内容液が液通路１０１経由で液ピストン５２の外周ピストン部５２Ｂの上部の空気室Ａの底部に送り込まれ（図９（Ｂ））、実施例１におけると同様に、空気室Ａに浸入した水による菌の発生を防止する。
【００５２】
（実施例４）（図１０、図１１）
実施例４が実施例１と異なる点は、液ピストン５２による液室Ｌの収縮端側で、液室Ｌを空気室Ａに連通する液通路１０１を液ピストン５２の外周と液室Ｌの内壁（シリンダ３０の小径部３０Ｂの内壁）の間に形成するための具体的構造として、リブ１００Ａに代わる溝部１００Ｃを設けたことにある。即ち、泡吐出器１０が吐出完了／吸入開始状態（図１１）にあり、下動側（収縮端）に位置する液ピストン５２の外周ピストン部５２Ｂに対応するシリンダ３０の小径部３０Ｂの内壁の周方向一部に溝部１００Ｃを成形する。液ピストン５２が液室Ｌの収縮端側に移動したとき、液ピストン５２の外周ピストン部５２Ｂが溝部１００Ｃの上に位置付けられ、液ピストン５２とシリンダ３０の小径部３０Ｂの内壁（溝部１００Ｃ）との間に隙間状液通路１０１が形成される。これにより、収縮端にある液ピストン５２により加圧された液室Ｌの抗菌性内容液が液通路１０１経由で液ピストン５２の外周ピストン部５２Ｂの上部の空気室Ａの底部に送り込まれ（図１１（Ｂ））、実施例１におけると同様に、空気室Ａに浸入した水による菌の発生を防止する。
【００５３】
尚、本実施形態（実施例１〜４）においては、泡吐出器１０は、空気吸入路７１と空気導入路９１を環状形成するために内外筒４１Ａ、４１Ｂの２つの筒によりステム４１を形成しているが、この外筒４１Ｂを形成せず、内筒４１Ａをステム４１とし、内筒４１Ａの下方外周面とキャップ２０の筒部２０Ｂの内周面とを近接配置し、この内筒４１Ａと筒部２０Ｂの間のみを空気吸入路７１とすることもできる。この場合、一つの空気吸入路７１が孔７１Ｂに連続しているとともに、外部解放室９１Ｂへも連通可能としており、頭部４０が上下動したときには、空気吸入路７１から外部解放室９１Ｂ、空気導入口９１Ｃを経由して容器本体内へ連通可能とし、頭部４０が上動したときに孔７１Ｂからチェック弁８２を経由して空気室Ａへ連通可能とする。
【図面の簡単な説明】
【００５４】
【図１】図１は実施例１の泡吐出器の初期状態を示す断面図である。
【図２】図２は泡吐出器の吐出開始状態を示す断面図である。
【図３】図３は泡吐出器の吐出中間状態を示す断面図である。
【図４】図４は泡吐出器の吐出完了／吸入開始状態を示す断面図である。
【図５】図５は泡吐出器の吸入中間状態を示す断面図である。
【図６】図６は実施例２の泡吐出器の初期状態を示す断面図である。
【図７】図７は泡吐出器の吐出完了／吸入開始状態を示す断面図である。
【図８】図８は実施例３の泡吐出器の初期状態を示す断面図である。
【図９】図９は泡吐出器の吐出完了／吸入開始状態を示す断面図である。
【図１０】図１０は実施例４の泡吐出器の初期状態を示す断面図である。
【図１１】図１１は泡吐出器の吐出完了／吸入開始状態を示す断面図である。
【符号の説明】
【００５５】
１  容器本体
１Ａ  口部
１０  泡吐出器
２０  キャップ
３０  シリンダ
３０Ａ  大径部
３０Ｂ  小径部
４０  頭部
４２  吐出口
５１  ピストンガイド
５２  液ピストン
５３  コイルばね
５４  液吐出路
６０  ポペット
７０  エアピストン
７１  空気吸入路
７３  空気排出路
７３Ａ  空気排出口
７４  開閉弁
８０  泡生成部
９１  空気導入路
９１Ｂ  外部解放室
１００Ａ  リブ
１００Ｂ  凸部
１００Ｃ  溝部
１０１  液通路
２００Ａ  リブ
２０１  空気通路
Ａ  空気室
Ｂ  底部
Ｌ  液室
【図１】
0005130068.tif 000002
【図２】
0005130068.tif 000003
【図３】
0005130068.tif 000004
【図４】
0005130068.tif 000005
【図５】
0005130068.tif 000006
【図６】
0005130068.tif 000007
【図７】
0005130068.tif 000008
【図８】
0005130068.tif 000009
【図９】
0005130068.tif 000010
【図１０】
0005130068.tif 000011
【図１１】
0005130068.tif 000012